(57)【要約】  機械式駆動ギヤによって駆動される針又は針モジュールを備えた時計であって、時計がハイブリッド時計（１）であって、機械式駆動ギヤ（３）に加えて、少なくとも、モータ（９）及び内蔵された電気又は電子制御装置（２２）を備えた付加的駆動ギヤ（８）を備え、前記付加的駆動ギヤ（８）が、機械的駆動ギヤ８３）と並行に、又は直列に、針又は針モジュール（５）を駆動及び／又は調整することができるように構成されていることを特徴とする。【選択図】  図１
2019517665.tif 000002
【特許請求の範囲】
【請求項１】
機械式駆動ギヤによって駆動される針モジュールであって、
該針モジュールが、時計の針を設定するために、機械式駆動ギヤ（３）と並行して、又は直列に、針モジュール（５）を駆動するための付加的駆動ギヤ（８）を備えている
ことを特徴とする針モジュール。
【請求項２】
付加的駆動ギヤ（８）に内部時計（２３）が設けられ、その内部時計（２３）の信号が、制御装置（２２）に送られる
ことを特徴とする請求項１に記載の針モジュール。
【請求項３】
無線信号又は他の信号を受信するための受信装置（２５）が、時計（１）の中に設けられている
ことを特徴とする請求項１又は２に記載の針モジュール。
【請求項４】
外部無線信号が、外部時計（３２'）からの時刻データに関連する
ことを特徴とする請求項３に記載の針モジュール。
【請求項５】
時計（１）の内部に、電気又は電子制御装置（２２）が設けられ、
前記制御装置（２２）が、
表示時刻を連続的に又は定期的に記録し、
表示時刻を、内部時計（２３）及び／又は外部時計（２３'）から受信した時刻データと比較し、
時間差がある場合に、付加的駆動ギヤ（８）を、一方方向又は他方向に駆動することによって、表示時刻を調整し、
表示時刻を受信した時刻データに対応させる
アルゴリズムを有する
ことを特徴とする請求項４に記載の針モジュール。
【請求項６】
時計に、透明タッチスクリーン（３７）の形態の受信装置（２５）が設けられ、
付加的駆動ギヤ（８）の制御装置（２２）を介して、タッチ動作によって表示時刻を調節するようにした
ことを特徴とする請求項３に記載の針モジュール。
【請求項７】
針モジュールと、機械式駆動ギヤ（３）の一つの出力軸（４）との間に、差動装置（６）を設け、
該差動装置（６）が、機械式駆動ギヤ（３）の前記出力軸（４）によって駆動され、
該差動装置（６）に、針モジュール（５）を駆動するための出力軸（７）が設けられ、
該差動装置（６）が、付加的駆動ギヤ（８）に恒久的に結合され、
前記付加的駆動ギヤ（８）のモータ（９）が、差動装置（６）の出力軸（７）を制御するために時計（１）のハウジング（２）に固定されている
ことを特徴とする請求項１〜６の何れか一項に記載の針モジュール。
【請求項８】
差動装置（６）が、二つの同軸遊星ギヤ変速機によって構成され、
第一遊星ギヤ変速機（１３ａ）及び第二遊星ギヤ変速機（１３ｂ）の各々が、太陽ギヤ（１６）及び同軸クラウンホイール（１５）並びに、それらの間で噛合し、かつ、遊星ギヤ支持部材（１７）にベアリングを介して回転可能に設けられた一つ又は複数の遊星ギヤ（１６）を備え、
前記クラウンホイール（１５）が、両方の遊星ギヤ変速機（１３ａ，１３ｂ）に対して共通である
ことを特徴とする請求項７に記載の針モジュール。
【請求項９】
第一ギヤ変速機（１３ａ）が、
一方において、時計（１）のハウジング（２）に恒久的に連結された遊星ギヤ支持部材（１７ａ）によって形成され、この遊星ギヤ支持部材（１７ａ）が、ベアリング上に自由に回転可能に設けられた共通クラウンホイール（１５）の支持部材でもあり、
他方において、機械式駆動ギヤ（３）の出力軸（４）に駆動連結された太陽ギヤ（１４ａ）によって形成されている
ことを特徴とする請求項８に記載の針モジュール。
【請求項１０】
第二ギヤ変速機（１３ｂ）が、ハウジング（２）に、出力軸（４）に対して同軸に、回転可能に取り付けられた遊星ギヤ支持部材（１７ｂ）によって形成され、
太陽ギヤ（１１ｂ）が、針又は針モジュール（５）を駆動するために差動装置（６）の出力軸（７）に駆動結合され、
遊星ギヤ支持部材（１７ｂ）が、前記付加的駆動ギヤ（８）によって回転駆動され得る
ように構成されている
ことを特徴とする請求項８又は９に記載の針モジュール。
【請求項１１】
機械式駆動ギヤ（３）が、針又は針モジュール（５）を駆動する複数の出力軸（４）を備え、
差動装置（６）及び付加的駆動ギヤ（８）が、これらの出力軸（４）の少なくとも各々に対して設けられている
ことを特徴とする請求項７〜１０の何れか一項に記載の時計。
【請求項１２】
時計（１）の内部に、一つだけの単一出力軸（４）を備えた機械式駆動ギヤ（３）と、回転軸に設けられた一つの針（３８）又は、回転針プレート（２８）を備えた針モジュール（５）とを配置し、
前記針（３８）又は針プレート（２８）が、機械式駆動ギヤ（３）の出力軸（４）によって駆動され、
付加的駆動ギヤ（８）が、機械式駆動ギヤ（３）と、回転針（３８）又は針プレート（２８）との間に設けられている
ことを特徴とする請求項１〜６の何れか一項に記載の針モジュール。
【請求項１３】
付加的駆動ギヤ（８）の電気モータ（９）が、回転針（３８）又は針プレート（２８）に固定され、かつ、トルク伝達方式で、機械的駆動ギヤ（３）の出力軸（４）に結合され、
前記出力軸（４）を中心に、回転針（３８）又は針プレート（２８）を回転することができるようにした
ことを特徴とする請求項１２に記載の針モジュール。
【請求項１４】
付加的駆動ギヤ（８）の電気モータ（９）が、回転針（３８）又は針プレート（２８）に、電気モータ（９）の軸に設けられたウォームギヤ（３５）及び機械式駆動ギヤ（３）の出力軸（４）に固定され、前記ウォームギヤ（３５）に噛合するウォームホイール（３６）を用いてトルク伝達方式で結合されている
ことを特徴とする請求項１３に記載の針モジュール。
【請求項１５】
回転針（３８）又は針プレート（２９）上の電気モータ（９）が、機械式駆動ギヤ（３）の出力軸（４）のスリップリングを介して、ハウジング（２）に結合された電源に接続される
ことを特徴とする請求項１３又は１４に記載の針モジュール。
【請求項１６】
付加的駆動ギヤ（８）が駆動していない場合に、分ディスク（２８）が、機械的駆動ギヤの出力軸（４）と一緒に同期して回転し、
分ディスク（２８）が機械的駆動ギヤ（３）によって直接的に駆動されている状態と同じ状態になるようにした
ことを特徴とする請求項１４に記載の針モジュール。
【請求項１７】
表示時刻が、実際の時刻より進んでいる又は遅れている場合に、
モータ（９）によってウォームギヤ（３５）を一方向又は他方向に駆動することによって、
分ディスク（２８）を、出力軸（４）に対して、表示時刻を修正するように回転して、
時計（１）を調整することができるようにし、
この場合、機械的駆動ギヤ（３）及び付加的駆動ギヤ（８）が直列に係合する
ことを特徴とする請求項１４に記載の針モジュール。
【請求項１８】
任意の従来の機械式時計に、クオーツ時計又は原子時計の精密な自動調整機能を与えるために、
任意の既存の機械式時計に、アドオン又はプラグインとして、事後的に追加できるように構成されている
ことを特徴とする請求項１４に記載の針モジュール。
【請求項１９】
時刻修正プログラムを用いて、原子時計の外部信号又は組み込まれたクオーツ時計の内部信号の何れかを精度よく使用する
ことを特徴つる請求項１８に記載の針モジュール。
【請求項２０】
針の位置を連続的に測定し、プログラムされた時刻又は所望の時刻に針を設定する
ことを特徴とする請求項１９に記載の針モジュール。
【請求項２１】
針モジュールが、任意の機械式時計に装備されたクラウンの調整機能に、実質的に置き換わる
ことを特徴とする請求項２０に記載の針モジュール。
【発明の詳細な説明】
【技術分野】
【０００１】
本発明は、機械式時計に関する。
【背景技術】
【０００２】
機械式時計には、時刻を指し示すための針又は針モジュールを駆動するために、一つ又は複数の出力軸を備えた機械式駆動ギヤが設けられている。
【０００３】
駆動ギヤには、スプリング又は同様の部材を備えた巻取りシステムが設けられている。巻取りシステムは、手動で「クラウンホイール」を回転させることによって、又は、手の動きで半自動的に、定期的に巻き上げられる必要がある。
【０００４】
機械式時計は、特に、それらが非常に高い精度で製造されなければならない精密時計である場合に、比較的高価である。
【０００５】
機械式時計の欠点は、概して、経年劣化や摩耗等の理由で時間の経過と共に増加し得るが、小さい変化に対向しなければならないことにある。
【０００６】
これに繋がる欠点は、人が正確な時刻を確信することができないことにあり、また、時計を何度も検査しなければならず、必要に応じて、実際の時刻に設定しなければならないことにある。
【０００７】
この設定のためには、常に、外部操作及び駆動ギヤへの外部接続が必要となり、この外部接続が、望ましくない水分及び埃の侵入や摩擦を引き起こす可能性がある。
【０００８】
従来の機械式時計の別の欠点は、サマータイムからウィンタータイムへ変わる時又はその逆の時に、時刻を各時刻に調整しなければならないことにあり、ある時間帯の地域から他の時間帯の地域に旅行をする時も同様である。
【０００９】
従来の機械式時計の別の欠点は、手動及び／又は自動で巻き上げなければならないことにある。時計が止まってしまうと、時刻を設定し直さなければならない。
【００１０】
デジタル時計は、一般的に、クオーツ時計に基づいて動作し、概してより正確であり、原則として、例えば、電池切れ等により時計が止まった時を除いて、殆ど設定をする必要がない。
【００１１】
多くの人は、精度が低いにも拘わらず、それが生み出すイメージが理由で機械式時計を選択する。
【００１２】
国際公開公報WO2008/007948A2は、機械式時計の調整装置を開示しています。この調整装置では、機械式時計は、機械式振動子だけでなく、電気的な発生器にも接続されている。センサが、機械式振動子の周波数を、水晶振動子や無線信号のような基準信号を比較し、必要に応じて、機械式振動子の周波数を調整して、指示時刻を修正する。このシステムは、針の位置を実際の時刻に合わせて維持するように、小さな修正で連続的に調整をするのに適している。
【００１３】
中国実用新案202 904 231公報は、針の向きを調整する調整装置を開示している。針の調整中に、時計の通常の動作に影響を与えないように差動結合が使用されている。針は、電気的な方法で動かされ得るが、秒針の調整に限定される。
【００１４】
また、米国特許公開公報US5751666Aは、 針の速度を調整する調整装置を備えている。この調整装置は、ＩＣ（集積回路）を備え、このＩＣで、水晶振動子のような基本時刻の周波数を、機械式時計の機械駆動装置と比較する。巻き取ったバネが使い尽くされると、針位置の誤差がすぐに生じ、これが使用者はバネの巻き直す誘因となる。この調整装置は、小さな修正には適しているが、例えば、時計が停止しているある期間の後に、正確な時刻を設定することができる機械式時計のクラウンに代わるものではない。
【発明の概要】
【００１５】
本発明の目的は、前記した欠点及び他の欠点を解決する方法を提供することにある。この目的を達成するために、本発明は、時計をハイブリッド時計にする、機械式駆動ギヤによって駆動される時計の針用の針モジュールに関する。前記ハイブリッド時計は、機械式駆動ギヤに加えて、少なくとも、モータを備えた付加的駆動ギヤ及び電気又は電子制御装置を備え、前記制御装置は、内部にあり、機械式駆動ギヤと並行に、又はそれと直列的に、針又は針モジュールを駆動及び／又は調整することができるように装備されている。
【００１６】
本発明によるこのような時計の利点は、針が、従来の機械式方法で駆動されるだけでなく、電気的又は機械的であり得るモータの少なくとも一つの付加的な制御された動作でも、駆動又は調整され得ることにある。
【００１７】
この付加的な駆動は、内部又は外部信号によって制御され得る。
【００１８】
この特徴は、機械式針を備えた従来の機械式時計に関して多くの特別な可能性を与える。例えば、電気的又は電子的に制御された駆動ギヤは、精密時計からの信号を受信することができ、かつ、その機能として時計の動作に影響を与えることができ、例えば、表示時刻を精密時計からの信号に自動的に同期させることができる。
【００１９】
このような信号は、例えば、内蔵したクオーツ時計から発信され得る。また、このような信号は、無線塔によって送信されるか、又は、インターネット等から発信される原子時計の外部信号から得ることができる。
【００２０】
これにより、最も高価で、最も精密なものでさえ備えていない、実際には、従来の機械式時計では除外されていた、クオーツ時計又は原子時計の精度で、機械式針又は機械式針モジュールを備えた機械式時計から時計を製造することが可能になる。
【００２１】
本発明に係る針モジュールは、アドオン又はプラグインとして、任意の既存の機械式時計に、後で追加することができ、クオーツ時計又は原子時計の精密な自動調整機能を、任意の既存の機械式時計に与えることができる。
【００２２】
精度を得るために、原子時計の外部信号、例えば、正確な時刻を示す無線信号、又は、内蔵クオーツ時計の内部信号の何れかが使用され、前記内部信号は、内蔵クオーツ時計に基づく正しい時刻のプログラムを持つ。
【００２３】
針モジュールは、針の一を連続的に測定し、針をプログラムされた又は所望の時刻に設定する。
【００２４】
さらにまた、サマータイムからウィンタータイムへの移行に自動的に適合でき、ある時間帯から他の時間帯へ旅行をした時に時刻を自動的に調整でき、また、３１日ない月等の末日に日付を自動的に調整できる。
【００２５】
さらにまた、時計が停止した後に、時計によって示された時刻をリセットする必要がない。本発明による時計は、動作を再設定した時に、確実に自動的にリセットされる。
【００２６】
本発明に係る針モジュールは、また、無線接続を介して、例えば、スマートフォンやパソコン等を用いたブルートゥース（登録商標）を介して、付加的な駆動ギヤによって時計を調整することを可能にする。
【００２７】
付加的な利点は、時計の設定に、機械式時計の最大の敵である防水及び防塵に関する問題を生じさせ得る外的な機械操作を必要としないことにある。針モジュールは、事実上、
それが装備されている任意の機械式時計のクラウンの調整機能に取って代わる。
【００２８】
本発明の特徴をより良く示すために、本発明によるハイブリッド時計の幾つかの好ましい実施の形態が、添付図面を参照して、非限定的な実施例を用いて、以下に説明される。
【図面の簡単な説明】
【００２９】
【図１】二つの駆動ギヤを備えた本発明によるハイブリッド時計の機構を概略的に示す図である。
【図２】図１においてＦ２で示した差動装置の拡大斜視図である。
【図３】図２におけるＩＩＩ−ＩＩＩ線断面図である。
【図４】三つの駆動ギヤを並列に備えた図１の時計の二つの実施例の一方の概略図である。
【図５】三つの駆動ギヤを並列に備えた図１の時計の二つの実施例の他方の概略図である。
【図６】本発明による時計の針モジュールの上面図である。
【図７】図６におけるＶＩＩ−ＶＩＩ線断面図である。
【図８】図７におけるＶＩＩＩ−ＶＩＩＩ線断面図である。
【図９】二つの駆動ギヤを直列に備えた本発明によるハイブリッド時計の別の変形例を示している。
【図１０】本発明によるハイブリッド時計の別の変形例である。
【発明を実施するための形態】
【００３０】
図１には、腕時計の形態の時計１が示されている。この時計１は、ハウジング２及びハウジング２に固定された従来の機械式駆動ギヤ３を備えている。この駆動ギヤ３は、例えば、巻上げスプリングの動力によって駆動される。この実施例では、駆動ギヤ３には、出力回転軸４を備え、該回転軸４は、差動装置６を介して機械式針を備えた針モジュール５を駆動する。差動装置６は、ハウジング２に固定されており、機械式駆動ギヤ３の前記出力回転軸４によって直接駆動される。差動装置６には、針モジュール５を直接駆動するための出力軸７が設けられている。
【００３１】
針モジュール５の一実施例は、後述する図７及び８に基づいて説明することができる。  
【００３２】
機械式駆動ギヤ３に加えて、時計１には、モータ９を備えた付加的駆動ギヤ８が設けられている。モータ９は、図示実施例では電気モータ、例えば、ステッピングモータであり、ハウジング２に内蔵され、そこで固定されており、例えば、バッテリ１０等によって給電される。
【００３３】
駆動ギヤ８には、さらに、駆動ギヤ１１が設けられており、駆動ギヤ１１はモータ９の軸１２に固定され、前記差動装置６に恒久的に固定され、この差動装置６を介して、差動装置６の出力軸７を駆動することができるようにされている。これは、機械式駆動ギヤ３と並行で、かつ、それとは独立している。
【００３４】
図２及び図３の実施例により詳細に示すように、差動装置６は、相互に重ねて配置された二つの同軸遊星ギヤ変速機と、同軸クラウンホイール１５と、二つの遊星ギヤ１６ａ及び１６ｂとで構成されている。二つの遊星ギヤ変速機は、各々、第一ギヤ変速機１３ａ及び第二ギヤ変速機１３ｂを備え、これらは、各々太陽ギヤ１４ａ及び１４ｂで構成されている。同軸クラウンホイール１５は、両方の遊星ギヤ変速機１３に共通である。各遊星ギヤ１６ａ及び１６ｂは、各ギヤ変速機１３の間に各々係合し、遊星ギヤ支持部材１７ａ及び１７ｂ上において、又は、その中において、ベアリング上に回転可能に設けられている。
【００３５】
遊星ギヤ支持部材１７ａは、時計１のハウジング２に対する固定連結部を備え、遊星ギヤ支持装置１７ｂは、ベアリング１８を用いて固定遊星ギヤ支持部材１７ａの周りに回転可能に支持されている。
【００３６】
回転可能な遊星ギヤ支持部材１７ｂには、その外周に沿って、外歯１９が設けられており、外歯１９は、トルクを伝達するために付加的駆動ギヤ８のギヤ１１と噛合することができる。
【００３７】
固定遊星ギヤ支持部材１７ａは、共通クラウンホイール１５の支持部材でもあり、該クラウンホイール１５は、ベアリング２０に自由回転可能に設けられている。
【００３８】
遊星ギヤ１６ａ及び１６ｂは、各遊星ギヤ支持部材１７ａ及び１７ｂにおけるベアリングに、それらの軸２１ａ及び２１ｂによって回転可能に設けられている。
【００３９】
第一遊星ギヤ変速機１３ａの太陽ギヤ１４ａは、機械式駆動ギヤ３の出力軸４に直接結合されており、第二遊星ギヤ変速機１３ｂの太陽ギヤ１４ｂは、差動装置６の出力軸７に直接連結されている。
【００４０】
この差動装置６の動作により、出力軸７を、駆動ギヤ３及び８の各々によって、互いに別々に、又は一緒に、独立して駆動することが可能になる。駆動ギヤ３及び８の駆動方向に応じて、出力軸７の動きに対する駆動ギヤ３及び８の影響は、一緒に加えられるか、又は、完全に若しくは部分的に互いに打ち消し合うようになる。
【００４１】
差動装置６の独立した動作は、図２及び図３に基づいて、以下のように説明され得る。
【００４２】
機械式駆動ギヤ３だけが駆動され、付加的駆動ギヤが駆動されず、従って、ギヤ１１及び遊星ギヤ支持部材１７ｂが固定された位置にあると仮定すると、差動装置６の出力軸７への機械式駆動ギヤ３の出力軸４のトルクの伝達は、以下のように進行する。
【００４３】
・出力軸４及び、それに固定された太陽ギヤ１４ａにより、遊星ギヤ１６ａがそれらの固定軸２１ａを中心に回転することを可能にする。
【００４４】
・軸２１ａは固定されているので、自由回転共通クラウン１５が、その軸線Ｘ−Ｘ'を中心に回転駆動される。
【００４５】
・次に、共通クラウン１５が、遊星ギヤ１６ｂを、遊星ギヤ支持部材１７ｂによって固定位置に保持されている、それらの軸２１ｂを中心に回転駆動する。
【００４６】
・遊星ギヤ１６ｂの、それらの軸２１ｂを中心とした回転によって、太陽ギヤ１４ｂが駆動され、その結果、出力軸７も駆動されて、針モジュール５が駆動される。
【００４７】
差動装置は、この実施例では、差動装置６の出力軸７が、機械式駆動ギヤ３の出力軸４と同じ速度で同じ方向に回転し、その結果、両方の出力軸４及び７が同期して回転するように設計され得る。
【００４８】
他方で、付加的駆動ギヤ８だけが駆動され、機械式駆動ギヤ３が静止状態に維持されていると仮定すると、次のような状況が生じる。
【００４９】
・太陽ギヤ１４ａ及び遊星ギヤ支持部材１７ａは固定されているので、遊星ギヤ１６ａも固定されており、その結果、共通クラウンホイール１５も固定されている。
【００５０】
・付加的駆動ギヤ８を駆動することによって、遊星ギヤ支持部材１７ｂが、その軸線Ｘ−Ｘ'を中心に回転駆動される。
【００５１】
・共通クラウンホイール１５が固定されているので、結果として、太陽ギヤ１４ｂが、差動装置６の出力軸７と共に駆動され、この方法で、針モジュール５が駆動される。
【００５２】
従って、駆動ギヤ３及び８の両方が、互いに独立して針モジュール５を駆動できることは明らかである。
【００５３】
両方の駆動ギヤ３及び８が一緒に駆動すると、付加的駆動ギヤ８が駆動する回転方向及び速度に依存して、差動装置６の出力軸７は、機械的駆動ギヤ３の出力軸４よりも、速く又は遅く回転することになる。
【００５４】
これは図４に概略的に示すように、並行駆動ギヤシステムになる。図４では、機械式駆動ギヤ３及び付加的駆動ギヤ８に加えて、第二の付加的駆動ギヤ８'が並行に接続されている。
【００５５】
これにより、必要に応じて、針又は針モジュールをより速く又はより遅く回転させて、表示時刻を修正することが可能になる。
【００５６】
図４に概略的に示すように、この時計には、正確な内部時計、例えば、クオーツ時計２３からの信号に応じて付加的駆動ギヤ８を制御する電気又は電子コントローラ２２が設けられ得る。
【００５７】
付加的駆動ギヤ８用のコントローラ２２には、例えば、センサ２４を用いて表示時刻を連続的に又は定期的に記録し、その表示時刻を、内部時計２３から受信した時刻データと比較し、それら二つの時刻の間に差異がある場合、付加的駆動ギヤ８を、一方向又は他方向に駆動することによって、表示時刻を調整して、針モジュール５の表示時刻を、内部時計２３から受信した時刻データに対応させるアルゴリズムが設けられる。この方法では、ハイブリッド時計１は、クオーツ時計の精度で実現することができる。
【００５８】
駆動ギヤ３と付加的駆動ギヤ８とが一つの単一ユニットを形成すること、言い換えれば、付加的駆動ギヤ８が駆動ギヤ３に組み込まれることを除外するものではない。
【００５９】
図５は、本発明によるハイブリッド時計の変形実施例を示している。この実施例では、図４の時計に対して、さらに受信装置２５が付加的に設けられている。この受信装置２５は、例えば、外部時計２３'からの無線信号を、例えば、そのような信号をインターネットから得るためにインターネット２７に接続可能なスマートフォン２６又はコンピュータ等に接続されたブルートゥース（登録商標）を介して受信する。これにより、外部時計２３'は、例えば、非常に精密な原子時計になり得る。
【００６０】
受信装置２５は、必要な場合に、外部時計２３'からの外部信号に応じて内部クオーツ時計２３を調整するために設けられる。この方法では、ハイブリッド時計１は、原子時計の精密性を得ることができる。
【００６１】
内部時計２３を省略することを除外するものではなく、かつ、受信装置２５が、付加的駆動ギヤ８を制御するためにコントローラ２２に直接接続されることを除外するものでもない。
【００６２】
受信装置２５は、また、例えば、スマートフォンアプリケーションを用いて時刻を調整するために時計１を制御することを可能にし、また、スマートフォン２６の位置データに応じて、時間帯等に時刻を調整するために時計１を制御することを可能にする。
【００６３】
付加的駆動ギヤ８のモータ９は、必ずしも電気モータである必要はなく、スプリング等によって駆動される機械的駆動装置であってもよい。この機械的駆動装置は、電子制御装置を用いて、その回転速度が変更され得る。
【００６４】
本発明は、また、例えば、一つの出力軸が時間用であり、一つの出力軸が分用である二つ以上の出力軸を備えた機械式駆動ギヤを備えた機械式時計を提供し得る。この場合、差動装置は、これらの出力軸の各々又は少なくとも一部に適当され得る。
【００６５】
図６は、機械式駆動ギヤ３の単一軸４によって駆動され得る針モジュール５を示している。このような針モジュールは、例えば、本発明に係る発明者のベルギー特許BE101911号で説明されており、その説明は、参照文献として、本明細書に組み込まれる。
【００６６】
この針モジュール５は、機械式駆動ギヤ３の出力軸４によって、固定分スケール３０に対して回転駆動される分針２９を備えた分ディスク２８の形態の針プレートを備えている。
【００６７】
ディスク２８の凹部では、時針３３を備えた回転可能な時ディスク３２が、リンク形状時間スケール３１に回転可能に取り付けられている。
【００６８】
図７に示され、かつ、ベルギー特許BE101911号において説明されているようなギヤシステム３４により、分ディスク２８、時間スケール３１及び時ディスク３２の回転運動は、時刻を読み取ることができる適切な速度で駆動される。
【００６９】
この実施例において、ベルギー特許BE101911号とは対照的に、分ディスク２８が、機械式駆動ギヤ３の出力軸４によって直接駆動されずに、図６及び図７に示すように、図６に点線で示す付加的駆動ギヤ８を介して間接的に駆動されることは、本発明特有のものである。
【００７０】
この実施例では、分ディスク２８は、機械式駆動ギヤ３の出力軸４に、自由に回転可能に取り付けられ、付加的駆動ギヤ８は、電気ステッピングモータによって形成されている。前記電気ステッピングモータは、分ディスク２８に固定され、その軸に、ウォームギヤ３８が設けられている。前記ウォームギヤ３８は、機械式駆動ギヤ３の出力軸４に固定されたウォームホイール３６と噛合する。
【００７１】
付加的駆動ギヤ８が駆動されていない場合、分ディスク２８は、機械式駆動ギヤの出力軸４と一緒に同期して回転しており、その結果、この場合は、分ディスク２８が機械式駆動ギヤによって直接的に駆動されている時と同じ状況になる。
【００７２】
しかし、表示時刻が実際の時刻より進むか、又は遅れている場合、時計１は、分ディスク２８が、出力軸４に対して、表示時刻を修正するように回転され得るように、モータ９のウォームギヤ３５を、一方向又は他方向に駆動することによって調整され得る。
【００７３】
これにより、この場合には、図９に示すように、機械式駆動ギヤと付加的駆動ギヤ８とが直列に噛み合うことになる。
【００７４】
電気モータ９には、それ自身にバッテリが設けられ得、分ディスク２８と共に回転する。また、電気モータ９は、その動力を、ハウジング２に固定されたバッテリ又は他の動力源から得ることができ、その場合には、固定されたバッテリから、回転可能な分ディスク２８に設けられたモータ９に動力を伝達するために、スリップリングを設けなければならない。
【００７５】
本発明の特定の形態によれば、付加的駆動ギヤの制御用の受信装置２２のために、透明なタッチスクリーン３７が使用され得る。このタッチスクリーン３７は、図７に示すように、特定のタッチ動作に従って、表示時刻を調整することができるように、時計ガラスとして針を覆う。
【００７６】
タッチスクリーン３７を、その上にシンボル等が一時的又は恒久的に表示され得るインタラクティブタッチスクリーンとしてもよいことは明らかである。また、タッチスクリーン３７は、日付やクロノグラフ機能等のような時計１の他の機能の操作又は設定のために使用され得る。
【００７７】
図１０は、本発明による連続ハイブリッド時計の簡単な実施例を示している。
【００７８】
この実施例は、出力軸７'に固定された従来の針３８を備えた時計１に関し、前記出力軸７'は、時計１のハウジング２に回転可能に取付けられている。また、出力軸７'には、アーム３９が設けられ、該アーム３９上に、その軸にウォームギヤ３５が設けられたモータ９が固定されている。前記ウォームギヤ３５は、機械式駆動ギヤ３の出力軸４に直接的に固定されたウォームホイール３６に噛合する。
【００７９】
モータ９が制御されていないと、針３８は、機械式駆動ギヤ３の出力軸４と同じ速度で回転する。モータ９が駆動すると、針３８の回転は、モータが駆動する回転方向に従って、加速又は原則され得る。ウォーム・ウォームホイール伝達３５−３６は、恒久的性質を持つ。
【００８０】
全ての場合において、付加的駆動ギヤ８を、異なる方法、例えば、ライナーモータ等を用いて、電気的又は機械的に実施することができることは明らかである。
【００８１】
差動装置も、また、他の方法で実現され得る。
【００８２】
直列及び並行制御の組み合わせを除外するものではない。
【００８３】
コントローラ２２を制御するための内部信号又は外部信号は、アナログ信号又はデジタル信号であり得、クラウンホイールを押し込み又は引き出すことによる外部の機械的操作は、本発明の対象には属さない。
【００８４】
本発明は、決して、一実施例として説明され、図面に示された実施の形態に限定されるものではない。また、本発明によるハイブリッド時計は、本発明の範囲から逸脱することなく、あらゆる形態及び寸法で実現され得る。
【図１】
2019517665.tif 000003
【図２】
2019517665.tif 000004
【図３】
2019517665.tif 000005
【図４】
2019517665.tif 000006
【図５】
2019517665.tif 000007
【図６】
2019517665.tif 000008
【図７】
2019517665.tif 000009
【図８】
2019517665.tif 000010
【図９】
2019517665.tif 000011
【図１０】
2019517665.tif 000012
【手続補正書】
【提出日】平成29年10月17日(2017.10.17)
【手続補正１】
【補正対象書類名】明細書
【補正対象項目名】００２５
【補正方法】変更
【補正の内容】
【００２５】
さらにまた、巻き取り予備がなくなって時計が停止した後に、機械式時計によって示された時刻をリセットする必要がない。本発明による時計は、巻き上げによって動作を再設定した時に、確実に自動的にリセットされる。
【手続補正２】
【補正対象書類名】特許請求の範囲
【補正対象項目名】全文
【補正方法】変更
【補正の内容】
【特許請求の範囲】
【請求項１】
機械式駆動ギヤによって駆動される針モジュールであって、
該針モジュールが、時計の針を設定するために、機械式駆動ギヤ（３）と並行して、又は直列に、針モジュール（５）を駆動するための付加的駆動ギヤ（８）を備え、
任意の従来の機械式時計に、クオーツ時計又は原子時計の精密な自動調整機能を与えるために、任意の既存の機械式時計に、アドオン又はプラグインとして、事後的に追加できるように構成され、
時刻修正プログラムを用いて、原子時計の外部信号又は組み込まれたクオーツ時計の内部信号の何れかを使用し、
針の位置を連続的に測定し、プログラムされた時刻又は所望の時刻に針を設定する
ように構成されていることを特徴とする針モジュール。
【請求項２】
時計を設定するために外部の機械的操作を必要としないように、針モジュールが、任意の機械式時計に装備されたクラウンの調整機能に、実質的に置き換わる
ことを特徴とする請求項１に記載の針モジュール。
【請求項３】
針モジュールが、
サマータイムからウィンタータイムへの移行を自動的に調整し、
ある時間帯から他の時間帯への移動時に時間を自動駅に調整し、
３１日ない月の最終日に日付を自動的に調整し、
巻き取り予備がなくなって時計が停止した後に、巻き上げによって動作を再設定した時に、機械式時計が示す時間を自動的にリセットする
ように構成されていることを特徴とする請求項１に記載の針モジュール。
【請求項４】
付加的駆動ギヤ（８）に内部時計（２３）が設けられ、その内部時計（２３）の信号が、制御装置（２２）に送られる
ことを特徴とする請求項１に記載の針モジュール。
【請求項５】
無線信号又は他の信号を受信するための受信装置（２５）が、時計（１）の中に設けられている
ことを特徴とする請求項１又は２に記載の針モジュール。
【請求項６】
外部無線信号が、外部時計（３２'）からの時刻データに関連する
ことを特徴とする請求項５に記載の針モジュール。
【請求項７】
時計（１）の内部に、電気又は電子制御装置（２２）が設けられ、
前記制御装置（２２）が、
表示時刻を連続的に又は定期的に記録し、
表示時刻を、内部時計（２３）及び／又は外部時計（２３'）から受信した時刻データと比較し、
時間差がある場合に、付加的駆動ギヤ（８）を、一方方向又は他方向に駆動することによって、表示時刻を調整し、
表示時刻を受信した時刻データに対応させる
アルゴリズムを有する
ことを特徴とする請求項６に記載の針モジュール。
【請求項８】
時計に、透明タッチスクリーン（３７）の形態の受信装置（２５）が設けられ、
付加的駆動ギヤ（８）の制御装置（２２）を介して、タッチ動作によって表示時刻を調節するようにした
ことを特徴とする請求項５に記載の針モジュール。
【請求項９】
針モジュールと、機械式駆動ギヤ（３）の一つの出力軸（４）との間に、差動装置（６）を設け、
該差動装置（６）が、機械式駆動ギヤ（３）の前記出力軸（４）によって駆動され、
該差動装置（６）に、針モジュール（５）を駆動するための出力軸（７）が設けられ、
該差動装置（６）が、付加的駆動ギヤ（８）に恒久的に結合され、
前記付加的駆動ギヤ（８）のモータ（９）が、差動装置（６）の出力軸（７）を制御するために時計（１）のハウジング（２）に固定されている
ことを特徴とする請求項１〜８の何れか一項に記載の針モジュール。
【請求項１０】
差動装置（６）が、二つの同軸遊星ギヤ変速機によって構成され、
第一遊星ギヤ変速機（１３ａ）及び第二遊星ギヤ変速機（１３ｂ）の各々が、太陽ギヤ（１６）及び同軸クラウンホイール（１５）並びに、それらの間で噛合し、かつ、遊星ギヤ支持部材（１７）にベアリングを介して回転可能に設けられた一つ又は複数の遊星ギヤ（１６）を備え、
前記クラウンホイール（１５）が、両方の遊星ギヤ変速機（１３ａ，１３ｂ）に対して共通である
ことを特徴とする請求項９に記載の針モジュール。
【請求項１１】
第一ギヤ変速機（１３ａ）が、
一方において、時計（１）のハウジング（２）に恒久的に連結された遊星ギヤ支持部材（１７ａ）によって形成され、この遊星ギヤ支持部材（１７ａ）が、ベアリング上に自由に回転可能に設けられた共通クラウンホイール（１５）の支持部材でもあり、
他方において、機械式駆動ギヤ（３）の出力軸（４）に駆動連結された太陽ギヤ（１４ａ）によって形成されている
ことを特徴とする請求項１０に記載の針モジュール。
【請求項１２】
第二ギヤ変速機（１３ｂ）が、ハウジング（２）に、出力軸（４）に対して同軸に、回転可能に取り付けられた遊星ギヤ支持部材（１７ｂ）によって形成され、
太陽ギヤ（１１ｂ）が、針又は針モジュール（５）を駆動するために差動装置（６）の出力軸（７）に駆動結合され、
遊星ギヤ支持部材（１７ｂ）が、前記付加的駆動ギヤ（８）によって回転駆動され得る
ように構成されている
ことを特徴とする請求項１０又は１１に記載の針モジュール。
【請求項１３】
機械式駆動ギヤ（３）が、針又は針モジュール（５）を駆動する複数の出力軸（４）を備え、
差動装置（６）及び付加的駆動ギヤ（８）が、これらの出力軸（４）の少なくとも各々に対して設けられている
ことを特徴とする請求項９〜１２の何れか一項に記載の時計。
【請求項１４】
時計（１）の内部に、一つだけの単一出力軸（４）を備えた機械式駆動ギヤ（３）と、回転軸に設けられた一つの針（３８）又は、回転針プレート（２８）を備えた針モジュール（５）とを配置し、
前記針（３８）又は針プレート（２８）が、機械式駆動ギヤ（３）の出力軸（４）によって駆動され、
付加的駆動ギヤ（８）が、機械式駆動ギヤ（３）と、回転針（３８）又は針プレート（２８）との間に設けられている
ことを特徴とする請求項１〜８の何れか一項に記載の針モジュール。
【請求項１５】
付加的駆動ギヤ（８）の電気モータ（９）が、回転針（３８）又は針プレート（２８）に固定され、かつ、トルク伝達方式で、機械的駆動ギヤ（３）の出力軸（４）に結合され、
前記出力軸（４）を中心に、回転針（３８）又は針プレート（２８）を回転することができるようにした
ことを特徴とする請求項１４に記載の針モジュール。
【請求項１６】
付加的駆動ギヤ（８）の電気モータ（９）が、回転針（３８）又は針プレート（２８）に、電気モータ（９）の軸に設けられたウォームギヤ（３５）及び機械式駆動ギヤ（３）の出力軸（４）に固定され、前記ウォームギヤ（３５）に噛合するウォームホイール（３６）を用いてトルク伝達方式で結合されている
ことを特徴とする請求項１５に記載の針モジュール。
【請求項１７】
回転針（３８）又は針プレート（２９）上の電気モータ（９）が、機械式駆動ギヤ（３）の出力軸（４）のスリップリングを介して、ハウジング（２）に結合された電源に接続される
ことを特徴とする請求項１５又は１６に記載の針モジュール。
【請求項１８】
付加的駆動ギヤ（８）が駆動していない場合に、分ディスク（２８）が、機械的駆動ギヤの出力軸（４）と一緒に同期して回転し、
分ディスク（２８）が機械的駆動ギヤ（３）によって直接的に駆動されている状態と同じ状態になるようにした
ことを特徴とする請求項１６に記載の針モジュール。
【請求項１９】
表示時刻が、実際の時刻より進んでいる又は遅れている場合に、
モータ（９）によってウォームギヤ（３５）を一方向又は他方向に駆動することによって、
分ディスク（２８）を、出力軸（４）に対して、表示時刻を修正するように回転して、
時計（１）を調整することができるようにし、
この場合、機械的駆動ギヤ（３）及び付加的駆動ギヤ（８）が直列に係合する
ことを特徴とする請求項１６に記載の針モジュール。
【国際調査報告】
2019517665.tif 000013
2019517665.tif 000014
2019517665.tif 000015